(57)【要約】      （修正有）【課題】２つの照明光のうち一方の照明光によって、他方の照明光用の蛍光体が蛍光を発することを防止する内視鏡装置及び内視鏡用アダプタを提供する。【解決手段】検査システムは、挿入部と、挿入部の先端側に設けられ、蛍光体を有し、白色光を出射する発光部３３Ａと、挿入部の先端側に設けられ、蛍光体を蛍光させる波長の光を含む紫外光を出射する発光部３３Ｂと、発光部３３Ｂから出射される紫外光が発光部３３Ａの蛍光体に当たらないように、紫外光を遮光する遮光部としての段差部Ｄを有する。【選択図】図５
2016067378.tif 000002
【特許請求の範囲】
【請求項１】
挿入部と、
前記挿入部の先端側に設けられ、蛍光体を有し、第１の光を出射する第１の発光部と、
前記挿入部の先端側に設けられ、前記蛍光体を蛍光させる波長の光を含む第２の光を出射する第２の発光部と、
前記第２の発光部から出射される前記第２の光が前記第１の発光部の前記蛍光体に当たらないように、前記第２の光を遮光する遮光部と、
を有することを特徴とする内視鏡装置。
【請求項２】
前記遮光部は、前記第１の発光部又は前記第２の発光部が取り付けられて支持される支持部材であることを特徴とする請求項１に記載の内視鏡装置。
【請求項３】
前記遮光部は、前記第１の発光部と前記第２の発光部とが取り付けられて支持される支持部材に形成された段差部であることを特徴とする請求項１に記載の内視鏡装置。
【請求項４】
前記遮光部は、前記第１の発光部と前記第２の発光部とが取り付けられて支持される支持部材に突設された凸部であることを特徴とする請求項１に記載の内視鏡装置。
【請求項５】
前記第１の発光部と前記第２の発光部は、前記挿入部の先端部に着脱可能なアダプタに設けられていることを特徴とする請求項１から４のいずれか１つに記載の内視鏡装置。
【請求項６】
前記第１の発光部と前記第２の発光部は、前記挿入部の先端部に設けられていることを特徴とする請求項１から４のいずれか１つに記載の内視鏡装置。
【請求項７】
前記第１の発光部及び前記第２の発光部の各々は、発光素子を有することを特徴とする請求項１から６のいずれか１つに記載の内視鏡装置。
【請求項８】
前記第１の発光部及び前記第２の発光部の少なくとも一方は、光源からの光を導光するライトガイドを有することを特徴とする請求項１から６のいずれか１つに記載の内視鏡装置。
【請求項９】
内視鏡の挿入部に装着可能な内視鏡用アダプタであって、
蛍光体を有し、第１の光を出射する第１の発光部と、
前記蛍光体を蛍光させる波長の光を含む第２の光を出射する第２の発光部と、
前記第２の発光部から出射される前記第２の光が前記第１の発光部の前記蛍光体に当たらないように、前記第２の光を遮光する遮光部と、
を有することを特徴とする内視鏡用アダプタ。
【発明の詳細な説明】
【技術分野】
【０００１】
本発明は、内視鏡装置及び内視鏡用アダプタに関し、特に、少なくとも２種類の照明光を出射する内視鏡装置、及びそのような内視鏡装置の挿入部に装着される内視鏡用アダプタに関する。
【背景技術】
【０００２】
内視鏡装置が、工業分野及び医療分野で広く利用されている。内視鏡装置は細長の挿入部を有し、挿入部を被検体内に挿入することにより被検体内を検査することができる。  
挿入部の先端部には観察窓が配置され、内視鏡装置は、観察窓を通して入射した被検体内の検査部位からの光を撮像素子により受光して、検査部位の内視鏡画像を生成して、モニタに表示する。
【０００３】
通常は、照明光として白色光を検査部位に照射するが、検査の目的によっては、白色光に代えて、白色光以外の照明光を検査部位に照射することができる内視鏡装置もある。  
例えば、特開２００３−１９００９１号公報に開示のように、生体組織を励起させて自家蛍光を生じさせる紫外光を出射する発光素子と、可視光を出射する発光素子の２種類の発光素子を有し、２種類の光を交互に出射可能な内視鏡装置も提案されている。
【０００４】
また、工業分野では、検査対象によっては、白色光に代えて紫外光を照明光として照射して検査を行う場合がある。例えば、蛍光剤を配管内壁に塗布した後に拭き取り、紫外光を照射することにより細かな傷に入り込んだ蛍光剤を光らせて、配管内の細かな傷を検査する蛍光探傷法がある。
【先行技術文献】
【特許文献】
【０００５】
【特許文献１】特開２００３−１９００９１号公報
【発明の概要】
【発明が解決しようとする課題】
【０００６】
しかし、これらの内視鏡装置では、紫外光と白色光が照明光として被写体に同時に出射されることはないが、紫外光が白色光用の蛍光体を蛍光させる波長の光を含む場合、出射された紫外光が白色光用の蛍光体に当たって、その蛍光体が発光してしまうという問題がある。
【０００７】
紫外光照射時に白色光の蛍光体からの光があると、紫外光による観察画像中に、白色光の蛍光体の蛍光による被写体の画像が重畳されるため、検査者は、紫外光による蛍光画像のみを識別し難い場合がある。
【０００８】
例えば、工業分野における上述した蛍光探傷法が実施されるとき、紫外光を出射する照明ユニットが挿入部に装着される。配管内壁の傷に入り込んだ蛍光剤は、紫外光により発光するが、配管内に残ったウエスの繊維等に蛍光剤が含まれていると、繊維等も発光し、繊維等を傷と誤認識してしまう。
【０００９】
そのため、配管中のある場所において内視鏡画像中で発光しているものが傷であるかウエス等であるか不明なときは、検査者は、配管内から挿入部を一旦引き抜き、白色光を出射する照明ユニットを挿入部に装着して、再度配管内に挿入して同じ場所まで挿入部の先端部を位置させて、再検査を行うという作業を行わなければならない。その結果、検査者は、白色光によりウエス等の有無を確認することができるが、全体の検査時間が長くなってしまう。
【００１０】
そこで、本発明は、２つの照明光のうち一方の照明光によって、他方の照明光用の蛍光体が蛍光を発することを防止する内視鏡装置及び内視鏡用アダプタを提供することを目的とする。
【課題を解決するための手段】
【００１１】
本発明の一態様によれば、挿入部と、前記挿入部の先端側に設けられ、蛍光体を有し、第１の光を出射する第１の発光部と、前記挿入部の先端側に設けられ、前記蛍光体を蛍光させる波長の光を含む第２の光を出射する第２の発光部と、前記第２の発光部から出射される前記第２の光が前記第１の発光部の前記蛍光体に当たらないように、前記第２の光を遮光する遮光部と、を有する内視鏡装置を提供することができる。
【００１２】
本発明の一態様によれば、内視鏡の挿入部に装着可能な内視鏡用アダプタであって、蛍光体を有し、第１の光を出射する第１の発光部と、前記蛍光体を蛍光させる波長の光を含む第２の光を出射する第２の発光部と、前記第２の発光部から出射される前記第２の光が前記第１の発光部の前記蛍光体に当たらないように、前記第２の光を遮光する遮光部と、を有する内視鏡用アダプタを提供することができる。
【発明の効果】
【００１３】
本発明によれば、２つの照明光のうち一方の照明光によって、他方の照明光用の蛍光体が蛍光を発することを防止する内視鏡装置及び内視鏡用アダプタを提供することができる。
【図面の簡単な説明】
【００１４】
【図１】本発明の第１の実施の形態に関わる検査システムの構成を示す構成図である。
【図２】本発明の第１の実施の形態に関わる照明ユニット３の斜視図である。
【図３】本発明の第１の実施の形態に関わる、照明ユニット３に設けられた４つの発光モジュールの位置関係を説明するための照明ユニット３の上面図である。
【図４】本発明の第１の実施の形態に関わる発光モジュールの部分斜視図である。
【図５】本発明の第１の実施の形態の変形例２に関わる照明ユニット３Aの発光モジュールの構成を示す上面図である。
【図６】本発明の第１の実施の形態の変形例２に関わる、段差部Dの面同士が反対方向に向くように一対の発光モジュール２３Aを配置した照明ユニット３Bの発光モジュールの構成を示す上面図である。
【図７】本発明の第２の実施の形態に関わる、直視用の観察ユニット５に装着可能な照明ユニット３Cの斜視図である。
【図８】本発明の第２の実施の形態に関わる、照明ユニット３Cに設けられた２つの発光モジュールにおける発光部の位置関係を説明するための照明ユニット３Cの上面図である。
【図９】本発明の第２の実施の形態に関わる、段差部Dの面同士が反対方向に向くように一対の発光モジュール４３を配置した照明ユニット３Dの発光モジュールの構成を示す上面図である。
【図１０】本発明の第１及び第２の実施の形態の変形例Aに関わる、発光モジュールにおいて紫外光用の発光部と白色光用の発光部の間に設けられた遮光壁を示す模式的部分斜視図である。
【図１１】本発明の第１及び第２の実施の形態の変形例Bに関わる、紫外光用の発光部と白色光用の発光部にライトガイドを用いた検査システム１Aの構成を示す構成図である。
【図１２】照明ユニット内に切替回路を設けた検査システム１Bの構成を示す構成図である。
【発明を実施するための形態】
【００１５】
以下、図面を参照して本発明の実施の形態を説明する。
（第１の実施の形態）
（検査システムの構成）
図１は、本実施の形態に関わる検査システムの構成を示す構成図である。検査システム１は、配管の内部に挿入される挿入部２と、照明ユニット３と、制御装置４とを備える側視用内視鏡装置である。
【００１６】
挿入部２は、観察ユニット５とケーブル６とから構成された内視鏡を構成する。  
観察ユニット５は、略円柱形状を有し、挿入部２の先端に設けられている。ケーブル６の先端は、観察ユニット５の基端に接続されている。観察ユニット５は、対物光学系（図示せず）と、撮像素子５ａ（図２）を有し、配管内壁を撮像可能な側視用の観察ユニットである。
【００１７】
観察ユニット５は、小径用の位置調整機構７を備えている。位置調整機構７は、挿入部２を例えば７０ｍｍの内径を有する配管内に挿入したときに、配管内における観察ユニット５の位置を調整し規定するためのユニットである。
【００１８】
さらに、検査システム１は、大径用の位置調整機構８を備えている。位置調整機構８は、挿入部２を例えば２００ｍｍの内径を有する配管内に挿入したときに、配管内における観察ユニット５の位置を調整し規定するためのユニットである。
【００１９】
位置調整機構７と８は、それぞれ、配管の内周面に当接し回転可能な複数のローラ７ａと８ａ、各ローラ７ａ、８ａの径方向における位置を調整する機構などを有している。位置調整機構７と８により、観察ユニット５の対物光学系の光軸C1（図２）が配管の軸と一致するように観察ユニット５の位置が調整される。さらに、観察ユニット５は、撮像素子５ａを有する先端部分を光軸C1周りに回動させる駆動モータを内蔵している。
【００２０】
挿入部２及び位置調整機構７と８の構成例は、特許第５４７９８２２号公報にも開示されている。  
アダプタ形式の照明ユニット３は、観察ユニット５の先端部に装着可能に構成されている。照明ユニット３の構成については、後述する。
【００２１】
制御装置４は、挿入部２のケーブル６の基端が接続された電源ボックス１１と、ケーブル１２により電源ボックス１１と電気的に接続されたパーソナルコンピュータ１３を含む。電源ボックス１１とパーソナルコンピュータ１３には、それぞれ電源ケーブル１４とACアダプタ１５が接続され、所定の電力が供給されている。  
制御部としてのパーソナルコンピュータ１３は、検査者であるユーザが各種命令を入力するキーボード１３ａ、カーソルの位置変更のためのタッチパッド１３ｂ、及び各種メニュー画面及び内視鏡画像を表示する表示部１３ｃを有する。
【００２２】
パーソナルコンピュータ１３は、ケーブル１２、電源ボックス１１、及びケーブル６を通して、照明ユニット３の発光モジュール、観察ユニット５の駆動モータに制御信号や電力を送ったり、観察ユニット５から撮像信号を受信したりすることができる。
【００２３】
ユーザは、検査対象である配管の内径に応じて、必要ならば観察ユニット５に位置調整機構８を装着して、挿入部２を配管内に挿入する。検査者は、パーソナルコンピュータ１３に対して、必要な命令を入力して、配管内の内視鏡画像を表示部１３ｃに表示させたり、パーソナルコンピュータ１３の記憶装置に内視鏡画像データを記録したり、照明ユニット３の照明光の切替を行うこともできる。
（照明ユニットの構成）
図２は、照明ユニット３の斜視図である。図３は、照明ユニット３に設けられた４つの発光モジュールの位置関係を説明するための照明ユニット３の上面図である。図４は、発光モジュールの部分斜視図である。
【００２４】
図２に示すように、照明ユニット３は、矢印Aで示す方向に沿って観察ユニット５の先端部に装着される。そのため、照明ユニット３は、観察ユニット５の先端部に装着するためのフレームとしての基体２１を有している。照明ユニット３は、観察ユニット５の先端部に着脱可能に装着される。基体２１は、観察ユニット５の先端部に照明ユニット３を装着するための装着部２１ａを有している。
【００２５】
照明ユニット３は、基体２１に取り付けられたプリズム２２と、白色光用の一対の発光モジュール２３と、紫外光用の一対の発光モジュール２４と、を有する。  
基体２１は、プリズム２２を固定する固定部２１ｂを有する。プリズム２２は、固定部２１ｂに設けられた開口部２１ｃからの光を入射して、プリズム２２で反射させて、被写体からの光を観察ユニット５の撮像素子５ａへ導光する。図２において、被写体からの光Lは、一点鎖線で示すように、プリズム２２の反射面２２ａで反射して、撮像素子５ａに入射する。固定部２１ｂは、プリズム２２の長方形の一面に嵌合し、プリズム２２の位置と向きを規定する。
【００２６】
２つの発光モジュール２３は、白色光用であり、複数の発光ダイオード（以下、LEDという）素子LED1を含む。２つの発光モジュール２４は、紫外光用であり、複数のLED素子LED2を含む。発光モジュール２３と２４は、円柱形状を有する。  
各LED素子には、蛍光体が塗布されている。白色光を出射する発光モジュール２３に設けられた複数のLED素子LED1の各々には、白色光用の蛍光体FL1が塗布されている。紫外光を出射する発光モジュール２４に設けられた複数のLED素子LED2が紫外光を出射する。  
但し、LED素子LED2が発光する紫外光には、白色光用の蛍光体FL1を蛍光させる波長の光が含まれている。
【００２７】
基体２１には、４本のアーム部材２１ｄがネジなどで固定されている。白色光用の一対の発光モジュール２３は、４本のアーム部材２１ｄの先端部にネジ２５により固定されている。図２に示すように、各発光モジュール２３は、２本のアーム部材２１ｄの先端部間で保持されるように、基体２１に固定される。
【００２８】
さらに、基体２１には、紫外光用の一対の発光モジュール２４が固定されている。紫外光用の一対の発光モジュール２４は、基体２１に対して接着剤あるいはネジなどの固定手段（図示せず）により固定されている。
【００２９】
照明ユニット３を観察ユニット５に装着したときには、照明ユニット３と観察ユニット５のそれぞれに備えられている不図示の電気接点が互いに接続され、制御装置４から照明ユニット３に所定の電力が供給される。
【００３０】
各発光モジュール２３は、透明な樹脂製あるいはガラス製の円筒部材３１A内に、断面が半円柱形状で放熱性の高い金属製、例えばアルミニウム製、の支持部材３２Aと、複数の発光部３３Aが実装された基板３４Aとを有して構成されている。
【００３１】
図４に示すように、各基板３４Aは、半円柱形状の支持部材３２Aの平面部分PAに搭載される。複数の発光部３３Aは、照明ユニット３を観察ユニット５に装着したときに光軸C1に沿って基板３４A上に並ぶように配置されている。
【００３２】
各発光モジュール２４は、透明な樹脂製あるいはガラス製の円筒部材３１B内に、断面が半円柱形状で放熱性の高い金属製、例えばアルミニウム製、の支持部材３２Bと、複数の発光部３３Bが実装された基板３４Bとを有して構成されている。
【００３３】
図４に示すように、各基板３４Bは、半円柱形状の支持部材３２Bの平面部分PAに搭載される。複数の発光部３３Bは、照明ユニット３を観察ユニット５に装着したときに光軸C1に沿って基板３４B上に並ぶように配置されている。  
すなわち、複数の発光部３３Aと３３Bは、挿入部２の先端部に着脱可能なアダプタである照明ユニット３に設けられている。
【００３４】
なお、本実施の形態では、照明ユニット３は、挿入部２の先端部に着脱可能に構成されているが、挿入部２の先端部に固定されていてもよく、その場合、複数の発光部３３Aと３３Bは、挿入部２の先端部に設けられる。
【００３５】
また、半円柱形状の支持部材３２Aと３２Bは、照明ユニット３を観察ユニット５に装着したときに、それぞれ支持部材３２Aの軸C23と支持部材３２BのC24が観察ユニット５の光軸C1と平行になるように配置される。さらに、４つの支持部材３２Aと３２Bの平面部分PAが互いに平行になるように、各発光モジュール２３と２４は、４本のアーム部材２１ｄに固定されている。
【００３６】
よって、各支持部材３２A,３２Bの半円形形状の平面部に搭載された基板３４Aと３４Bも互いに平行になるように配置され、複数の発光部３３Aと３３Bも、光の出射方向LLが同じ方向になるように、基板３４Aと３４B上に配置されている。
【００３７】
一対の発光モジュール２３から出射された白色光L1は、配管の内壁で反射して、反射光が、図３に示すように、観察ユニット５の観察窓としてのプリズム２２の入射面２２ｂに入射する。
【００３８】
また、支持部材３２Aが影になって一対の発光モジュール２４からの紫外光L2を受けないように、一対の発光モジュール２３の各発光部３３Aは、一対の発光モジュール２４の紫外光L2の出射方向において、紫外光用の一対の発光モジュール２４の各発光部３３Bよりも、前方に配置されている。
【００３９】
すなわち、照明ユニット３が挿入部２の先端部に装着されているとき、各発光部３３Aは、挿入部２の先端側に設けられ、蛍光体FL1を有し、白色光を出射する発光部であり、各発光部３３Bは、挿入部２の先端側に設けられ、蛍光体FL1を蛍光させる波長の光を含む紫外光を出射する発光部である。
【００４０】
そして、紫外光用の一対の発光モジュール２４の各発光部３３Bよりも、前方に配置されている一対の発光モジュール２３の複数の発光部３３Aの支持部材３２Aは、複数の発光部３３Bから出射される紫外光が複数の発光部３３Aの蛍光体FL1に当たらないように、紫外光を遮光する遮光部を構成する。
【００４１】
また、白色光用の２つの発光モジュール２３が観察窓である撮像部の観察窓から離して、白色光が観察窓に直接入射しないようにして、撮像部の撮像素子５ａで得られる内視鏡画像にハレーションが発生しないようにしている。紫外光用の２つの発光モジュール２４は、観察窓の近傍に配置し、紫外光が観察窓に入射しても、撮像部の撮像素子は、紫外線の影響を受けないので、ハレーションは、生じない。
（作用）
検査者は、白色光による観察を行うときは、パーソナルコンピュータ１３に対して、白色光観察の命令を入力する。パーソナルコンピュータ１３は、その命令に応じて制御信号を観察ユニット５へ出力し、一対の発光モジュール２３が発光して、照明ユニット３は白色光L1を照明光として出射する。このとき、一対の発光モジュール２４は発光しない。
【００４２】
一対の発光モジュール２３から出射された白色光L1は、配管の内壁で反射して、反射光が、観察窓であるプリズム２２の入射面２２ｂに入射する。その結果、撮像素子５ａにおいて、光電変換して得られた白色光L1による内視鏡画像が、パーソナルコンピュータ１３の表示部１３ｃに表示される。
【００４３】
また、検査者は、紫外光による観察を行うときは、パーソナルコンピュータ１３に対して、紫外光観察の命令を入力する。パーソナルコンピュータ１３は、その命令に応じて制御信号を観察ユニット５へ出力し、一対の発光モジュール２４が発光して、紫外光L2を照明光として出射する。このとき、一対の発光モジュール２３は発光しない。
【００４４】
一対の発光モジュール２４から出射された紫外光L2は、配管の内壁で反射して、反射光が、図３に示すように、観察窓であるプリズム２２の入射面２２ｂに入射する。その結果、撮像素子５ａにおいて、光電変換して得られた紫外光L2による発光により得られた内視鏡画像が、パーソナルコンピュータ１３の表示部１３ｃに表示される。
【００４５】
白色光用の２つの発光モジュール２３の各発光部３３Aは、支持部材３２Aが影となって、２つの発光モジュール２４からの紫外光L2を受けない。すなわち、複数の発光部３３Aが取り付けられて支持される支持部材３２Aが遮光部となって、各発光モジュール２４からの紫外光L2は、発光モジュール２３の各発光部３３Aの蛍光体FL1に当たらない。  
よって、上述した実施の形態の内視鏡装置によれば、紫外光によって、白色光用の蛍光体FL1が光を発することを防止することができる。
【００４６】
次に、本実施の形態の変形例について説明する。なお、各変形例において、上述した実施の形態と同じ構成要素については、同じ符号を付して説明は省略する。
（変形例１）
上述した実施の形態では、白色光用の２つの発光モジュール２３が、観察窓に対して、紫外光用の２つの発光モジュール２４よりも遠い位置に配置されているが、白色光用の２つの発光モジュール２３は、観察窓に対して、紫外光用の２つの発光モジュール２４よりも近い位置に配置するようにしてもよい。  
なお、その場合、白色光が観察窓に直接入射しないようにして内視鏡画像にハレーションが発生しない位置に、２つの発光モジュール２３は配置される。
【００４７】
すなわち、図２と図３における発光モジュール２３が紫外光用で、発光モジュール２４が白色光用にしてもよい。その場合、複数の発光部３３Bが取り付けられて支持される支持部材３２Bが遮光部となって、各発光モジュール２４からの紫外光L2は、発光モジュール２３の各発光部３３Aの蛍光体FL1に当たらない。
【００４８】
本変形例１によっても、紫外光が白色光用の蛍光体に当たらないようにすることができる。
（変形例２）
上述した実施の形態では、４本のアーム部材２１ｄにより、白色光用の２つの発光モジュール２３を、照明光の出射方向LLにおいて、紫外光用の２つの発光モジュール２４よりも前方に位置させることによって、紫外光が白色用の蛍光体に当たらないようにしているが、１つのモジュール内に、照明光の出射方向LLに沿った段差部を設け、その段差部の上部と下部にそれぞれ紫外光用の発光部と白色光用の発光部を配置するようにしてもよい。
【００４９】
図５は、本変形例２に関わる照明ユニット３Aの発光モジュールの構成を示す上面図である。基体２１Aは、図２に示すようなアーム部材を有さず、一対の円柱状の発光モジュール２３Aが、基体２１Aの開口部２１ｃの両側に配設されて固定されている。
【００５０】
各発光モジュール２３Aは、透明な樹脂製あるいはガラス製の円筒部材３１A内に、段差部Dを有する、断面が半円柱形状で放熱性の高い金属製、例えばアルミニウム製、の支持部材３２Cと、白色光用の複数の発光部３３Aが実装された基板３４A1と、紫外光用の複数の発光部３３Bが実装された基板３４A2と、を有して構成されている。
【００５１】
支持部材３２Cの段差部Dには、照明光の出射方向LLにおいて段差が形成されており、段差部Dにおける出射方向LLの前方側の平面部に基板３４A1が搭載され、段差部Dにおける出射方向LLの後方側の平面部に基板３４A2が搭載されている。
【００５２】
２つの段差部Dの面同士が対向するように、一対の発光モジュール２３Aは照明ユニット３Aの基体２１Aに固定されている。  
基板３４A1上には、白色光用の複数の発光部３３Aが実装され、基板３４A2上には、紫外光用の複数の発光部３３Bが実装されている。各発光部３３A、３３Bの照明光の出射方向LLは、同一である。
【００５３】
本変形例においても、照明光の出射方向LLにおいて後方側に配置された紫外光用の複数の発光部３３Bからの紫外光は、段差部Dによって遮られ、白色光用の発光部３３Aの蛍光体FL1に当たらない。すなわち、複数の発光部３３Aと複数の発光部３３Bとが取り付けられて支持される支持部材３２Cに形成された段差部Dが、遮光部を構成する。
【００５４】
なお、段差部Dにおける出射方向LLの前方側の支持部材３２Cの平面部に複数の発光部３３Bが実装された基板３４A2を搭載し、段差部Dにおける出射方向LLの後方側の支持部材３２Cの平面部に複数の発光部３３Aが実装された基板３４A1を搭載するようにしてもよい。
【００５５】
さらになお、図５では、段差部Dの面同士が対向するように一対の発光モジュール２３Aは配置されているが、段差部Dの面同士が反対方向に向くように一対の発光モジュール２３Aを配置するようにしてもよい。
【００５６】
図６は、段差部Dの面同士が反対方向に向くように一対の発光モジュール２３Aを配置した照明ユニット３Bの発光モジュールの構成を示す上面図である。  
図６に示すように、段差部Dの面同士が反対方向に向くように一対の発光モジュール２３Aを配置しても、紫外光用の複数の発光部３３Aからの紫外光が、段差部Dによって遮られ、白色光用の蛍光体FL1に当たらない。
【００５７】
なお、図６においても、段差部Dにおける出射方向LLの前方側の支持部材３２Cの平面部に複数の発光部３３Bが実装された基板３４A2を搭載し、段差部Dにおける出射方向LLの後方側の支持部材３２Cの平面部に複数の発光部３３Aが実装さ基板３４A1を搭載するようにしてもよい。
【００５８】
よって、上述した実施の形態及び各変形例の内視鏡装置によれば、第２の照明光によって、第１の照明光用の蛍光体が光を発することを防止することができる。
（第２の実施の形態）
第１の実施の形態では観察ユニット５に側視用の照明ユニット３を装着するものであるが、本実施の形態では、直視用の照明ユニット３Cを装着するものである。
【００５９】
図７は、本実施の形態に関わる、直視用の観察ユニット５に装着可能な照明ユニット３Cの斜視図である。図８は、照明ユニット３Cに設けられた２つの発光モジュールにおける発光部の位置関係を説明するための照明ユニット３Cの上面図である。
【００６０】
本実施の形態の検査システムは、照明ユニットが直視用である以外は、第１の実施の形態の検査システム１と同様の構成であり、検査システム１と同じ構成要素については、同じ符号を付して説明は省略する。
【００６１】
照明ユニット３Cは、図７において矢印A1で示す方向に沿って観察ユニット５の先端部に装着される。そのため、照明ユニット３Cは、観察ユニット５の先端部に装着するためのフレームとして基体４１を有している。照明ユニット３Cは、観察ユニット５の先端部に着脱可能に装着される。基体４１は、観察ユニット５の先端部に照明ユニット３Cを装着するための装着部４１aを有している。
【００６２】
照明ユニット３Cは、観察窓４２と、一対の発光モジュール４３を有している。  
観察窓４２は、照明ユニット３Cが直視用の観察ユニット５の先端部に装着されたときに、観察ユニット５の先端部に配置された対物光学系に、被写体からの光を入射するための開口部である。観察窓４２には、観察ユニット５の対物光学系の一部を構成するレンズ等が設けられている。
【００６３】
２つの発光モジュール４３は、基体４１から突出した２つの突出部４１bに接着剤あるいはネジなどの固定手段（図示せず）により固定されている。各発光モジュール４３は、円柱形状を有し、紫外光と白色光の両方を出射可能な照明部である。
【００６４】
照明ユニット３Cを撮像ユニット５に装着したときには、円柱形状の各発光モジュール４３の軸は、対物光学系の光軸C1に直交する方向になるように、２つの発光モジュール４３は、基体４１に固定される。
【００６５】
図７に示すように、照明ユニット３Cが観察ユニット５の先端部に装着されたときに、照明ユニット３Cと観察ユニット５のそれぞれに備えられている不図示の電気接点が互いに接続され、制御装置４から照明ユニット３Cに所定の電力が供給される。
【００６６】
各発光モジュール４３は、上述した図５の発光モジュール２３Aと同様の構成を有している。  
具体的には、図８に示すように、各発光モジュール４３は、透明な樹脂製あるいはガラス製の円筒部材３１A内に、段差部Dを有する、断面が半円柱形状で放熱性の高い金属製、例えばアルミニウム製、の支持部材３２Cと、白色光用の複数の発光部３３Aが実装された基板３４A1と、紫外光用の複数の発光部３３Bが実装された基板３４A2と、を有して構成されている。
【００６７】
支持部材３２Cの段差部Dには、照明光の出射方向LLにおいて段差が形成されており、段差部Dにおける出射方向LLの前方側の平面部に基板３４A1が搭載され、段差部Dにおける出射方向LLの後方側の平面部に基板３４A2が搭載されている。
【００６８】
２つの段差部Dの面同士が対向するように、一対の発光モジュール４３は照明ユニット３Aの基体４１に固定されている。  
基板３４A1上には、白色光用の複数の発光部３３Aが実装され、基板３４A2上には、紫外光用の複数の発光部３３Bが実装されている。各発光部３３A、３３Bの照明光の出射方向LLは、同一である。  
以上のように、複数の発光部３３Aと３３Bは、挿入部２の先端部に着脱可能なアダプタである照明ユニット３Cに設けられている。
【００６９】
なお、本実施の形態では、照明ユニット３Cは、挿入部２の先端部に着脱可能に構成されているが、挿入部２の先端部に固定されていてもよく、その場合、複数の発光部３３Aと３３Bは、挿入部２の先端部に設けられる。  
照明光の出射方向LLにおいて後方側に配置された紫外光用の複数の発光部３３Bからの紫外光は、段差部Dによって遮られ、白色光用の発光部３３Aの蛍光体FL1に当たらない。
【００７０】
なお、段差部Dにおける出射方向LLの前方側の支持部材３２Cの平面部に複数の発光部３３Bが実装された基板３４A2を搭載し、段差部Dにおける出射方向LLの後方側の支持部材３２Cの平面部に複数の発光部３３Aが実装された基板３４A1を搭載するようにしてもよい。
【００７１】
さらになお、段差部Dの面同士が対向するように一対の発光モジュール４３は配置されているが、段差部Dの面同士が反対方向に向くように一対の発光モジュール４３を配置するようにしてもよい。
【００７２】
図９は、段差部Dの面同士が反対方向に向くように一対の発光モジュール４３を配置した照明ユニット３Dの発光モジュールの構成を示す上面図である。  
図９に示すように、段差部Dの面同士が反対方向に向くように一対の発光モジュール４３を配置しても、紫外光用の複数の発光部３３Aからの紫外光が、段差部Dによって遮られ、白色光用の蛍光体FL1に当たらない。
【００７３】
なお、図９においても、段差部Dにおける出射方向LLの前方側の支持部材３２Cの平面部に複数の発光部３３Bが実装された基板３４A2を搭載し、段差部Dにおける出射方向LLの後方側の支持部材３２Cの平面部に複数の発光部３３Aが実装された基板３４A1を搭載するようにしてもよい。
【００７４】
よって、上述した２つの実施の形態及び各変形例の内視鏡装置によれば、２つの照明光のうち一方の照明光によって、他方の照明光用の蛍光体が蛍光を発することを防止することができる。
【００７５】
次に上述した２つの実施の形態の変形例について説明する。
（変形例A）
上述した第１の実施の形態の変形例２及び第２の実施の形態では、発光モジュール内の支持部材３２Cに段差部Dを設け、段差部Dにより、紫外光が白色光用の発光部の蛍光体に当たらないようにしているが、本変形例Aは、紫外光用の発光部と白色光用の発光部の間に遮光壁を設けて、その遮光壁により、紫外光が白色光用の発光部の蛍光体に当たらないようにしている。
【００７６】
図１０は、本変形例Aに関わる、発光モジュールにおいて紫外光用の発光部と白色光用の発光部の間に設けられた遮光壁を示す模式的部分斜視図である。図１０では、円筒部材３１Aは省略されている。
【００７７】
図１０に示すように、図５等に示した円柱形状の発光モジュール５１内の支持部材３２Aの平面部上に、軸方向に沿って延びる壁部３２A1が突設されている。壁部３２A1の片側には、複数の発光部３３Aが実装された基板３４A1が搭載され、壁部３２A1の他の片側には、複数の発光部３３Bが実装された基板３４A2が搭載されている。
【００７８】
壁部３２A1は、遮光壁として機能することにより、紫外光が白色光用の発光部３３Aの蛍光体に当たらないようになっている。すなわち、複数の発光部３３Aと複数の発光部３３Bとが取り付けられて支持される支持部材３２Aに突設された凸部である壁部３２A1が、遮光部を構成する。
【００７９】
図１０に示す発光モジュール５１は、図５，図６，図８，図９に示した各発光モジュールに適用することができる。
（変形例B）
上述した２つの実施の形態及び上述した変形例Aでは、各発光部が複数のLED素子を有し、紫外光用の発光部には紫外光用のLEDを使用し、白色光用の発光部の各LED素子には、白色光用の蛍光体FL1が塗布されているが、各発光部には、LED素子に代えて、光ファイバなどのライトガイドを用いてもよい。
【００８０】
図１１は、本変形例Bに関わる、紫外光用の発光部と白色光用の発光部にライトガイドを用いた検査システム１Aの構成を示す構成図である。  
挿入部２内には、紫外光用のライトガイド６１と白色光用のライトガイド６２が挿通され、制御装置４は、紫外光用の光源６３と白色光用の光源６４とを有する。挿入部２の先端部には照明ユニット３Eが装着可能となっている。照明ユニット３Eは、上述した上述した照明ユニット３、３A〜３Dのいずれかであり、遮光部６７を有している。遮光部６７は、上述した支持部材３２A、段差部D、あるいは壁部３２A1である。
【００８１】
各ライトガイド６１と６２の基端側は、それぞれ制御装置４に設けられた光源６３と６４に接続されている。各光源６３，６４は所定の光を出射するランプ、LED等を有し、光源６３と６４からの光は、それぞれライトガイド６１と６２の基端に入射し、先端から出射する。
【００８２】
照明ユニット３Eには、白色光用の蛍光体FL1が設けられている。照明ユニット３Eが挿入部２の先端部に装着されたとき、紫外光用のライトガイド６１の先端から出射された光が挿入部２の先端から紫外光を出射し、白色光用のライトガイド６２の先端から出射された光が白色光用の蛍光体FL1に照射されて蛍光体FL1から白色光を出射するように、蛍光体FL1は、照明ユニット３Eに配置される。
【００８３】
すなわち、上述した各実施の形態及び上記変形例Aにおいては、各発光モジュールはLEDの光を利用しているが、本変形例では、ライトガイド６１を利用して紫外光を出射し、ライトガイド６２を利用して蛍光体FL1,を発光させて白色光を出射している。
【００８４】
照明ユニット３Eは、上述した上述した照明ユニット３、３A〜３Dのいずれかと同様の構成を有しているので、検査システム１Aにおいても、上述した各実施の形態及び上記変形例Aと同様の効果を得ることができる。
【００８５】
なお、図１１では、紫外光用と白色光用の両方にライトガイドを利用しているが、紫外光用と白色光用のいずれか一方には、ライトガイドを利用し、他方には、LED等の発光素子を利用するようにしてもよい。すなわち、白色光用の発光部と紫外光用の発光部の少なくとも一方が、光源からの光を導光するライトガイド６１，６２を有していてもよい。
【００８６】
以上のように、上述した２つの実施の形態及び各変形例A,Bによれば、２つの照明光のうち一方の照明光によって、他方の照明光用の蛍光体が蛍光を発することを防止する内視鏡装置及び内視鏡用アダプタを提供することができる。
【００８７】
ところで、上述した各実施の形態及び各変形例では、白色光用と紫外光用の２つの発光部が挿入部２に設けられている。  
各発光部が挿入部の先端部に設けられる場合であれば、各発光部への電力供給は、制御装置４から直接行うことができる。
【００８８】
各発光部が挿入部の先端部に着脱可能に装着されるアダプタである照明ユニットに設けられる場合、すなわちアダプタ形式の照明ユニットの場合、照明ユニットの各発光部への電力供給は、挿入部２と照明ユニットとの２以上の接点を介して行われる。例えば、グランド用の接点と、白色光用の電源用接点と、紫外光用の電源用接点の３つの接点で、挿入部２の先端部と照明ユニットとが接続されれば、２つの発光部を個別に発光させることができる。  
しかし、挿入部２のサイズ等から、一対の接点しか挿入部の先端部に設けることができない場合がある。そのような場合、２つの発光部を排他的に発光させることができない。
【００８９】
そこで、照明ユニット内に切替回路を設け、挿入部２と照明ユニットとの一対の電気的接点を介して供給される電力を、切替回路で切り替えて２つの発光部の一方に出力するようにしてもよい。
【００９０】
図１２は、照明ユニット内に切替回路を設けた検査システム１Bの構成を示す構成図である。図１２の検査システム１Bにおいて、上述した第１の実施の形態の検査システム１と同じ構成要素については、同じ符号を付して説明は省略する。
【００９１】
挿入部２と照明ユニット３との電気的な接続は、２つの接点により行われている。なお、図１２では、照明ユニットは、第１の実施の形態の照明ユニット３であるが、照明ユニット３A〜３Dのいずれかであってもよい。制御装置４には、照明ユニット３の照明用のスイッチ４ａが設けられている。
【００９２】
図１２に示すように、挿入部２の先端部には、一対の接点７１ａ、７１ｂが設けられており、照明ユニット３には、一対の接点７１ａ、７１ｂに対応する接点７２ａ、７２が設けられている。
【００９３】
照明ユニット３が挿入部２の先端部に装着されると、接点７１ａが接点７２ａと接触し、接点７１ｂが接点７２ｂと接触する。  
挿入部２の先端部には、照明用回路７３が内蔵されている。照明用回路７３は、制御装置４からの電力及び制御信号を受けて、２つの接点７１ａと７１ｂへの発光部駆動信号LCを出力する。
【００９４】
照明ユニット３には、切替回路７４が内蔵されている。２つの接点７２ａと７２ｂは、切替回路７４と電気的に接続されている。切替回路７４は、発光モジュール２３と２４に接続されている。
【００９５】
接点７２ａと７２ｂからの発光部駆動信号LCが切替回路７４に入力され、切替回路７４は、所定のタイミングで、発光部駆動信号LCの出力先として発光モジュール２３と２４のいずれかを選択する。
【００９６】
切替回路７４は、一対の接点７２ａと７２ｂ間に供給される電力の入力回路と、一対の接点７２ａと７２ｂ間の電圧を検出する検出回路と、マイクロコンピュータ等の中央処理装置（CPU）を有する制御回路と、２つの発光モジュール２３と２４への出力回路とを含んで構成されている。
【００９７】
スイッチ４ａを押すと、紫外光用の発光モジュール２４がオンされ、さらにスイッチ４ａを押すと、発光モジュール２４はオフするように、制御回路は、スイッチ４ａの操作に応じて、２つの発光モジュール２３と２４への出力回路を制御する。
【００９８】
さらに、紫外光用の発光モジュール２４がオンしている状態で、スイッチ４ａが所定の時間T1以内に連続して２回押されると、紫外光用の発光モジュール２４をオフして、白色光用の発光モジュール２３をオンするように、制御回路は、スイッチ４ａの操作に応じて、２つの発光モジュール２３と２４への出力回路を制御する。
【００９９】
さらに、白色光用の発光モジュール２３がオンしている状態で、スイッチ４ａが所定の時間T1以内に連続して２回押されると、白色光用の発光モジュール２３をオフして、紫外光用の発光モジュール２４をオンするように、制御回路は、スイッチ４ａの操作に応じて、２つの発光モジュール２３と２４への出力回路を制御する。
【０１００】
CPUを有する制御回路がスイッチ４ａの操作を検出して、上述したように、スイッチ４ａのオンされる時間間隔に基づいて２つの発光モジュール２３と２４への出力回路を制御することによって、挿入部２と照明ユニット３が一対の電気的接点のみにより接続されている場合であっても、２つの発光部の出力を切り替えることができる。
【０１０１】
なお、上述した例では、切替回路７４は、CPUを含む制御回路により２つの発光部の出力を切り替えているが、切替回路７４は、抵抗器、コンデンサ等の回路素子からなるアナログ回路により構成されていてもよい。
【０１０２】
その場合、入力回路を介して入力される電荷をコンデンサに蓄えるようにして、短い時間間隔でスイッチ４ａが２回押されたときにおけるコンデンサに蓄えられる電荷の変化レベルに応じて、２つの発光モジュール２３と２４への出力回路の出力を変更するように、切替回路７４は構成される。
【０１０３】
よって、上述した検査システム１Aによれば、照明ユニット内に切替回路を設け、挿入部２と照明ユニットとの一対の電気的接点を介する電力を、切替回路で切り替えて２つの発光部の一方に出力して、白色光用の発光モジュール２３と紫外光用の発光モジュール２４を切り替えることができる。
【０１０４】
本発明は、上述した実施の形態に限定されるものではなく、本発明の要旨を変えない範囲において、種々の変更、改変等が可能である。
【符号の説明】
【０１０５】
１，１A，１B  検査システム、２  挿入部、３、３A、３B、３C、３D、３E  照明ユニット、４  制御装置、４ａ  スイッチ、５  観察ユニット、５ａ  撮像素子、６  ケーブル、７  位置調整機構、７ａ  ローラ、８  位置調整機構、１１  電源ボックス、１２  ケーブル、１３  パーソナルコンピュータ、１３ａ  キーボード、１３ｂ  タッチパッド、１３ｃ  表示部、１４  電源ケーブル、１５  アダプタ、２１、２１A  基体、２１ａ  装着部、２１ｂ  固定部、２１ｃ  開口部、２１ｄ  アーム部材、２２  プリズム、２２ａ  反射面、２２ｂ  入射面、２３、２３A、２４  発光モジュール、２５  ネジ、３１A、３１B  円筒部材、３２A  支持部材、３２A1  壁部、３２B、３２C  支持部材、３３A、３３B  発光部、３４A、３４A1、３４A2、３４B  基板、４１  基体、４１a  装着部、４１b  突出部、４２  観察窓、４３  発光モジュール、５１  発光モジュール、６１，６２  ライトガイド、６３，６４  光源、６７  遮光部、７１ａ、７１ｂ、７２ａ、７２ｂ  接点、７３  照明用回路、７４  切替回路。
【図１】
2016067378.tif 000003
【図２】
2016067378.tif 000004
【図３】
2016067378.tif 000005
【図４】
2016067378.tif 000006
【図５】
2016067378.tif 000007
【図６】
2016067378.tif 000008
【図７】
2016067378.tif 000009
【図８】
2016067378.tif 000010
【図９】
2016067378.tif 000011
【図１０】
2016067378.tif 000012
【図１１】
2016067378.tif 000013
【図１２】
2016067378.tif 000014